(57)【要約】【課題】この発明は、リモートコントローラが赤外線と電波とで同内容の操作情報を同時送信する兼用モードに設定されているときに、リモートコントローラに対するより一層の電力消費量の削減を図り、電池寿命のさらなる延命に寄与し得るようにしたＡＶ機器及びその制御方法を提供することを目的としている。【解決手段】赤外線及び電波の両方を用いて操作情報を送信する兼用モードに設定されたリモートコントローラ（２４）から、赤外線を用いて送信された操作情報を受信したＡＶ機器（１１）は、応答信号を電波により送信する。そして、ＡＶ機器（１１）から送信された応答信号を、予め設定された所定時間以内に受信したリモートコントローラ（２４）は、兼用モードに代えて赤外線のみを用いて操作情報を送信する一時赤外線専用モードに自動設定される。【選択図】    図１
2010050781.tif 000002
【特許請求の範囲】
【請求項１】
赤外線を用いて送信された操作情報を受信する赤外線受信手段と、電波を用いて送信された操作情報を受信する電波受信手段と、前記赤外線受信手段及び前記電波受信手段の少なくとも一方で受信された操作情報を受け付け、その操作情報に対応した状態に各部を制御する制御手段と、前記赤外線受信手段に操作情報が受信されたとき、その旨を示す応答信号を電波によって送信する電波送信手段とを備えた被制御機器と、
赤外線を用いて操作情報を送信する赤外線送信手段と、電波を用いて操作情報を送信する電波送信手段と、前記被制御機器から送信された応答信号を受信する電波受信手段と、前記赤外線送信手段及び前記電波送信手段から共に操作情報を送信する兼用モードに設定されている状態で、操作情報を送信してから予め設定された所定時間以内に前記電波受信手段に前記応答信号が受信されたとき、前記兼用モードに代えて前記赤外線送信手段のみにより操作情報を送信する一時赤外線専用モードに自動設定する制御手段とを備えたリモートコントローラとを具備することを特徴とするＡＶ機器。
【請求項２】
前記リモートコントローラの制御手段は、前記兼用モードで操作情報を送信してから予め設定された所定時間以内に前記電波受信手段に前記応答信号が受信されなかった場合、前記兼用モードの設定状態を保持させることを特徴とする請求項１記載のＡＶ機器。
【請求項３】
前記リモートコントローラの制御手段は、前記一時赤外線専用モードに設定されている状態で、操作情報を送信してから予め設定された所定時間以内に前記電波受信手段に前記応答信号が受信されなかった場合、同じ内容の操作情報を前記電波送信手段から送信させることを特徴とする請求項１記載のＡＶ機器。
【請求項４】
前記リモートコントローラの制御手段は、前記一時赤外線専用モードに設定されている状態で、操作情報を送信してから予め設定された所定時間以内に前記電波受信手段に前記応答信号が受信されず、同じ内容の操作情報を前記電波送信手段から送信させた回数が、予め設定されたしきい値以上になった場合、前記一時赤外線専用モードを解除することを特徴とする請求項１記載のＡＶ機器。
【請求項５】
前記リモートコントローラの制御手段は、前記一時赤外線専用モードを解除したとき前記兼用モードに自動設定することを特徴とする請求項４記載のＡＶ機器。
【請求項６】
前記リモートコントローラの制御手段は、前記一時赤外線専用モードに設定されてから予め設定された所定時間以内に操作情報の送信が行なわれない場合、前記一時赤外線専用モードを解除することを特徴とする請求項１記載のＡＶ機器。
【請求項７】
前記リモートコントローラの制御手段は、前記一時赤外線専用モードに設定されてから予め設定された所定時間以内に前記応答信号が受信されない場合、前記一時赤外線専用モードを解除することを特徴とする請求項１記載のＡＶ機器。
【請求項８】
赤外線及び電波の両方を用いて操作情報を送信する兼用モードに設定されたリモートコントローラから操作情報を送信する工程と、
前記リモートコントローラから赤外線を用いて送信された操作情報をＡＶ機器が受信する工程と、
前記リモートコントローラから赤外線を用いて送信された操作情報を受信した前記ＡＶ機器が応答信号を電波により送信する工程と、
前記ＡＶ機器から電波を用いて送信された応答信号を前記リモートコントローラが受信する工程と、
前記リモートコントローラが赤外線を用いて操作情報を送信してから予め設定された所定時間以内に、前記ＡＶ機器から電波を用いて送信された応答信号を受信したとき、前記リモートコントローラを前記兼用モードに代えて赤外線のみを用いて操作情報を送信する一時赤外線専用モードに自動設定する工程とを有することを特徴とするＡＶ機器の制御方法。
【発明の詳細な説明】
【技術分野】
【０００１】
この発明は、リモートコントローラにより無線で操作されるＡＶ（audio visual）機器及びその制御方法の改良に関する。
【背景技術】
【０００２】
周知のように、例えばＤＶＤ（digital versatile disk）のような光ディスクを再生する光ディスク再生装置等に代表される各種のＡＶ機器にあっては、ユーザがリモートコントローラを用いて操作情報を無線送信することにより、種々の動作状態や停止状態等に遠隔操作することが可能である。
【０００３】
この場合、一般的な家庭用のＡＶ機器においては、リモートコントローラからＡＶ機器に操作情報を無線送信するために使用されている手段として、赤外線を伝送媒体として操作情報を送信する赤外線方式を採用したタイプと、電波を伝送媒体として操作情報を送信する電波方式を採用したタイプとの、２種類が主流になっている。
【０００４】
このうち、赤外線方式は、リモートコントローラとＡＶ機器とを結ぶ直線上に赤外線を遮断する障害物が存在しない状態で、リモートコントローラをＡＶ機器に向けて操作情報を送信する必要がある反面、赤外線方式を用いている他のＡＶ機器のリモートコントローラとの互換性を確保することができる。
【０００５】
一方、電波方式は、リモートコントローラとＡＶ機器との間で双方向通信を行なわせるために利用される方式であり、リモートコントローラとＡＶ機器とを結ぶ直線上に障害物が存在していても、操作情報をＡＶ機器に伝達させたり、ＡＶ機器からリモートコントローラに情報を伝達させたりすることができる。
【０００６】
また、現在では、赤外線方式と電波方式との双方を採用したリモートコントローラで操作可能なＡＶ機器が出現している。この種のリモートコントローラは、操作情報を、赤外線のみを用いて送信する赤外線専用モードと、電波のみを用いて送信する電波専用モードと、赤外線と電波との両方を用いて同時に送信する兼用モードとを備え、各モードがユーザにより設定可能となっている。
【０００７】
そして、このようなリモートコントローラからの操作情報を受けるＡＶ機器では、赤外線を用いて送信された操作情報を受信する機能と、電波を用いて送信された操作情報を受信する機能とを備え、いずれの機能で受信された操作情報に対しても対応することができるようになっている。
【０００８】
ところで、赤外線方式と電波方式との両方の機能を有するリモートコントローラでＡＶ機器を遠隔操作することは、両方の方式の利点を享受することができる反面、兼用モードでは、リモートコントローラが赤外線と電波との両方を用いて同じ内容の操作情報を同時に送信するため、電力消費量が多くなり電池の寿命を短くすることになる。
【０００９】
特許文献１には、スタンバイ時に電波送受信部への電力供給を停止し、赤外線受信部だけに電力供給を行なうことで、レコーダの消費電力を削減するとともに、レコーダをスタンバイ状態から通常稼動状態にする稼動指示信号が赤外線受信部に受信されたとき、レコーダから電波による応答信号をリモコンに送信して稼動指示信号の送信を停止させることにより、リモコンの消費電力を削減するようにした構成が開示されている。
【特許文献１】特開２００８−２８５８２号公報
【発明の開示】
【発明が解決しようとする課題】
【００１０】
そこで、この発明は上記事情を考慮してなされたもので、リモートコントローラが赤外線と電波とで同内容の操作情報を同時送信する兼用モードに設定されているときに、リモートコントローラに対するより一層の電力消費量の削減を図り、電池寿命のさらなる延命に寄与し得るようにしたＡＶ機器及びその制御方法を提供することを目的とする。
【課題を解決するための手段】
【００１１】
この発明に係るＡＶ機器は、赤外線を用いて送信された操作情報を受信する赤外線受信手段と、電波を用いて送信された操作情報を受信する電波受信手段と、赤外線受信手段及び電波受信手段の少なくとも一方で受信された操作情報を受け付け、その操作情報に対応した状態に各部を制御する制御手段と、赤外線受信手段に操作情報が受信されたとき、その旨を示す応答信号を電波によって送信する電波送信手段とを有する被制御機器と；赤外線を用いて操作情報を送信する赤外線送信手段と、電波を用いて操作情報を送信する電波送信手段と、被制御機器から送信された応答信号を受信する電波受信手段と、赤外線送信手段及び電波送信手段から共に操作情報を送信する兼用モードに設定されている状態で、操作情報を送信してから予め設定された所定時間以内に電波受信手段に応答信号が受信されたとき、兼用モードに代えて赤外線送信手段のみにより操作情報を送信する一時赤外線専用モードに自動設定する制御手段とを有するリモートコントローラとを備えるようにしたものである。
【００１２】
また、この発明に係るＡＶ機器の制御方法は、赤外線及び電波の両方を用いて操作情報を送信する兼用モードに設定されたリモートコントローラから操作情報を送信する工程と、リモートコントローラから赤外線を用いて送信された操作情報をＡＶ機器が受信する工程と、リモートコントローラから赤外線を用いて送信された操作情報を受信したＡＶ機器が応答信号を電波により送信する工程と、ＡＶ機器から電波を用いて送信された応答信号をリモートコントローラが受信する工程と、リモートコントローラが赤外線を用いて操作情報を送信してから予め設定された所定時間以内に、ＡＶ機器から電波を用いて送信された応答信号を受信したとき、リモートコントローラを兼用モードに代えて赤外線のみを用いて操作情報を送信する一時赤外線専用モードに自動設定する工程とを有するようにしたものである。
【発明の効果】
【００１３】
上記した発明によれば、兼用モードに設定されたリモートコントローラから赤外線を用いて送信された操作情報を受信したＡＶ機器が、応答信号を電波により送信すると、その応答信号を予め設定された所定時間以内に受信したリモートコントローラが、兼用モードに代えて赤外線のみを用いて操作情報を送信する一時赤外線専用モードに自動設定されるようにしたので、兼用モードに設定されているリモートコントローラに対してより一層の電力消費量の削減を図り、電池寿命のさらなる延命を図ることができる。
【発明を実施するための最良の形態】
【００１４】
以下、この発明の実施の形態について図面を参照して詳細に説明する。図１は、この実施の形態で説明するＡＶ機器の被制御機器として光ディスク再生装置１１の主要な信号処理系を示している。この光ディスク再生装置１１は、例えばＤＶＤのような光ディスク１２を着脱自在に装着可能であり、装着された光ディスク１２から、そこに記録されているデータを読み取る光ディスクドライブ部１３を備えている。
【００１５】
そして、この光ディスクドライブ部１３で光ディスク１２から読み取られたデータは、データ再生処理部１４に供給されて所定のデータ再生処理が施されることにより、アナログ映像信号及びアナログ音声信号等に復元され、出力端子１５を介して外部に取り出されるようになっている。
【００１６】
ここで、この光ディスク再生装置１１は、上記した光ディスク１２の再生動作を含むその全ての動作を制御部１６によって統括的に制御されている。この制御部１６は、ＣＰＵ（central processing unit）１６ａを内蔵しており、後述するリモートコントローラ２４から送信される操作情報を受けて、その操作内容が反映されるように各部をそれぞれ制御している。
【００１７】
この場合、制御部１６は、メモリ部１６ｂを利用している。このメモリ部１６ｂは、主として、そのＣＰＵ１６ａが実行する制御プログラムを格納したＲＯＭ（read only memory）と、該ＣＰＵ１６ａに作業エリアを提供するＲＡＭ（random access memory）と、各種の設定情報及び制御情報等が格納される不揮発性メモリとを有している。
【００１８】
なお、この制御部１６は、電源部１７からの電力が常時供給されて起動状態となっている副制御部１８の制御に基づいて、通電スイッチ１９がオンされることにより電源部１７からの電力が供給されるようになって起動状態となる。これにより、上記した光ディスク１２の再生動作を実行するように制御を行なう状態となる。
【００１９】
また、上記副制御部１８は、赤外線受信部２０、電波受信部２１、電波送信部２２及び本体表示部２３に接続されている。このうち、赤外線受信部２０は、リモートコントローラ２４から赤外線を伝送媒体として送信された操作情報を受信し、その受信した操作情報を副制御部１８に供給するように機能する。また、電波受信部２１は、リモートコントローラ２４から電波を伝送媒体として送信された操作情報を受信し、その受信した操作情報を副制御部１８に供給するように機能する。
【００２０】
そして、副制御部１８は、赤外線受信部２０及び電波受信部２１から得られた操作情報が電源オンを要求する内容である場合に、通電スイッチ１９をオン状態に制御して、制御部１６に電源部１７からの電力を供給させるように機能する。また、通電スイッチ１９がオン状態である場合、副制御部１８は、赤外線受信部２０及び電波受信部２１から得られた操作情報を制御部１６に供給する。これにより、制御部１６がリモートコントローラ２４からの操作情報を受けて、その操作内容が反映されるように各部をそれぞれ制御することが可能となる。
【００２１】
なお、赤外線受信部２０及び電波受信部２１から得られた操作情報が電源オフを要求する内容である場合、副制御部１８は、通電スイッチ１９をオフ状態に制御して、制御部１６に電源部１７からの電力が供給されなくなるように機能する。
【００２２】
また、上記電波送信部２２は、制御部１６及び副制御部１８の少なくとも一方で、リモートコントローラ２４に送信すべき情報が生成された場合、その情報を電波によりリモートコントローラ２４に送信するように機能する。さらに、上記本体表示部２３は、制御部１６及び副制御部１８の少なくとも一方で、外部に表示すべき情報が生成された場合、その情報を表示するように機能する。
【００２３】
ここで、上記制御部１６には、リモートコントローラ制御部１６ｃが備えられている。このリモートコントローラ制御部１６ｃは、詳細は後述するが、赤外線受信部２０に操作情報が受信されたとき、赤外線により操作情報が受信された旨を示す応答信号を、電波送信部２２から電波により送信するように制御している。
【００２４】
すなわち、兼用モードに設定されているリモートコントローラ２４から、赤外線と電波とにより同じ内容の操作情報が同時に送信され、そのうちの赤外線による操作情報が赤外線受信部２０に受信されると、リモートコントローラ制御部１６ｃの制御により、赤外線により操作情報が受信された旨を示す応答信号が、電波送信部２２から電波によりリモートコントローラ２４に送信される。
【００２５】
そして、リモートコントローラ２４は、操作情報を送信してから予め設定された所定時間以内に電波により応答信号が受信された場合、以後、操作情報を赤外線方式でのみ送信する一時赤外線専用モードに自動設定される。つまり、リモートコントローラ２４が一時赤外線専用モードに設定されることにより、赤外線のみにより操作情報を送信するようになるため、赤外線と電波との両方で操作情報を送信する場合に比して、電力消費量の削減を図り電池寿命の延命を図ることができる。
【００２６】
要するに、リモートコントローラ２４が、赤外線と電波とにより同じ内容の操作情報を同時に送信したとき、光ディスク再生装置１１から赤外線により操作情報が受信された旨を示す応答信号が返信されたということは、取りも直さず、赤外線方式による遠隔操作が可能な状態であることが確認されたということである。
【００２７】
このため、ユーザが兼用モードに設定したリモートコントローラ２４を、自動的に一時赤外線専用モードに設定して赤外線のみによる遠隔操作を行なわせるようにしても、ユーザが光ディスク再生装置１１を遠隔操作する上で何らの不都合も生じることなく省電力化を図ることができる。なお、リモートコントローラ２４の一時赤外線専用モードを解除する手法については後述する。
【００２８】
図２は、上記したリモートコントローラ制御部１６ｃの処理動作をまとめたフローチャートを示している。すなわち、処理が開始（ステップＳ２ａ）されると、リモートコントローラ制御部１６ｃは、ステップＳ２ｂで、赤外線受信部２０及び電波受信部２１の少なくとも一方に操作情報が受信されたか否かを判別し、受信されていないと判断された場合（ＮＯ）、処理を終了（ステップＳ２ｆ）する。
【００２９】
また、上記ステップＳ２ｂで操作情報が受信されたと判断された場合（ＹＥＳ）、リモートコントローラ制御部１６ｃは、ステップＳ２ｃで、赤外線による操作情報の受信であるか否かを判別し、赤外線による操作情報の受信であると判断された場合（ＹＥＳ）、ステップＳ２ｄで、赤外線により操作情報が受信された旨を示す応答信号を電波送信部２２から送信させる。
【００３０】
そして、このステップＳ２ｄの後、または、上記ステップＳ２ｃで赤外線による操作情報の受信でないと判断された場合（ＮＯ）、リモートコントローラ制御部１６ｃは、ステップＳ２ｅで、赤外線受信部２０または電波受信部２１に受信された操作情報を受け付けるように制御して、処理を終了（ステップＳ２ｆ）する。
【００３１】
図３は、上記リモートコントローラ２４の外観を示している。このリモートコントローラ２４には、ユーザが光ディスク再生装置１１を各種の動作状態や停止状態に遠隔操作するための種々の操作キーが設置されているが、この実施の形態を説明する上で主要となるものは、液晶表示部２４ａ、電源キー２４ｂ、赤外線専用モードキー２４ｃ、電波専用モードキー２４ｄ及び兼用モードキー２４ｅである。
【００３２】
このうち、電源キー２４ｂは、光ディスク再生装置１１に対して電源のオンオフを要求する、つまり、上記通電スイッチ１９のオンオフを要求する操作情報を発生させるものである。また、上記赤外線専用モードキー２４ｃは、リモートコントローラ２４を赤外線のみを用いて操作情報を送信する赤外線専用モードに設定するものである。
【００３３】
さらに、上記電波専用モードキー２４ｃは、リモートコントローラ２４を電波のみを用いて操作情報を送信する電波専用モードに設定するものである。また、上記兼用モードキー２４ｅは、リモートコントローラ２４を赤外線と電波との両方を用いて同時に操作情報を送信する兼用モードに設定するものである。
【００３４】
そして、上記液晶表示部２４ａは、光ディスク再生装置１１から電波によってリモートコントローラ２４に送信された情報や、リモートコントローラ２４の内部状態を表示している。例えば、リモートコントローラ２４が赤外線による操作情報の送信を行なっているとき“ＩＲ”なる表示を行ない、リモートコントローラ２４が電波による操作情報の送信を行なっているとき“ＲＦ”なる表示を行ない、リモートコントローラ２４が赤外線と電波との双方による操作情報の送信を行なっているとき“ＩＲ・ＲＦ”なる表示を行なうように機能する。
【００３５】
図４は、上記リモートコントローラ２４の主要な信号処理系を示している。このリモートコントローラ２４は、電池２５の電力が供給されて起動状態となる制御部２６を備えている。この制御部２６は、ＣＰＵ２６ａ及びこのＣＰＵ２６ａが利用するメモリ部２６ｂを備え、リモートコントローラ２４の動作を統括的に制御している。
【００３６】
すなわち、この制御部２６は、リモートコントローラ２４に設置された各種の操作キーを総称する操作部２７からの操作情報を受け、その操作情報を赤外線送信部２８及び電波送信部２９のいずれか一方または両方から送信させるように制御している。また、この制御部２６は、リモートコントローラ２４の内部状態や電波受信部３０に受信された情報等を、上記液晶表示部２４ａに表示させるように制御している。
【００３７】
図５及び図６は、リモートコントローラ２４の制御部２６が行なう処理動作をまとめたフローチャートを示している。すなわち、操作部２７のいずれかの操作キーが操作されることにより処理が開始（ステップＳ５ａ）されると、制御部２６は、ステップＳ５ｂで、リモートコントローラ２４が電波専用モードに設定されているか否かを判別し、電波専用モードに設定されていないと判断された場合（ＮＯ）、ステップＳ５ｃで、操作されたキーに対応する操作情報を赤外線送信部２８から送信させる。
【００３８】
その後、制御部２６は、ステップＳ５ｄで、リモートコントローラ２４が赤外線専用モードに設定されているか否かを判別し、赤外線専用モードに設定されていると判断された場合（ＹＥＳ）、処理を終了（ステップＳ５ｌ）する。また、赤外線専用モードに設定されていないと判断された場合（ＮＯ）、制御部２６は、ステップＳ５ｅで、リモートコントローラ２４が一時赤外線専用モードに設定されているか否かを判別し、一時赤外線専用モードに設定されていると判断された場合（ＹＥＳ）、処理を終了（ステップＳ５ｌ）する。
【００３９】
一方、上記ステップＳ５ｅで一時赤外線専用モードに設定されていないと判断された場合（ＮＯ）、または、上記ステップＳ５ｂでリモートコントローラ２４が電波専用モードに設定されていると判断された場合（ＹＥＳ）、制御部２６は、ステップＳ５ｆで、操作されたキーに対応する操作情報を電波送信部２９から送信させる。
【００４０】
その後、制御部２６は、ステップＳ５ｇで、リモートコントローラ２４が電波専用モードに設定されているか否かを判別し、電波専用モードに設定されていると判断された場合（ＹＥＳ）、処理を終了（ステップＳ５ｌ）する。また、上記ステップＳ５ｇでリモートコントローラ２４が電波専用モードに設定されていないと判断された場合（ＮＯ）、制御部２６は、ステップＳ５ｈで、内蔵されたタイマ（図示せず）を用いて予め設定された所定時間の計測を開始する。
【００４１】
そして、制御部２６は、ステップＳ５ｉで、所定時間が経過したか否かを判別し、経過したと判断された場合（ＹＥＳ）、ステップＳ５ｊで、上記所定時間以内に、赤外線により操作情報が受信された旨を示す応答信号が電波受信部３０に受信されたか否かを判別し、受信されていないと判断された場合（ＮＯ）、処理を終了（ステップＳ５ｌ）する。
【００４２】
また、上記ステップＳ５ｊで応答信号が受信されたと判断された場合（ＹＥＳ）、制御部２６は、ステップＳ５ｋで、一時赤外線専用モードに設定して、処理を終了（ステップＳ５ｌ）する。
【００４３】
図７は、図５及び図６に示したフローチャートに基づいて、光ディスク再生装置１１とリモートコントローラ２４とが行なう動作シーケンスを示している。すなわち、ステップＳ７ａに示すように、兼用モードに設定されたリモートコントローラ２４から赤外線及び電波によって操作情報が送信され、そのうち赤外線により送信された操作情報が光ディスク再生装置１１に受信されると、光ディスク再生装置１１は、ステップＳ７ｂに示すように、赤外線により操作情報が受信された旨を示す応答信号を電波によって送信する。
【００４４】
ここで、リモートコントローラ２４は、操作情報を送信した時点から予め設定された所定時間以内に、光ディスク再生装置１１からの応答信号を受信した場合、ステップＳ７ｃに示すように、一時赤外線専用モードに設定され、以後、一時赤外線専用モードが解除されるまで、操作情報を赤外線のみにより送信するように制御される。
【００４５】
次に、図８及び図９は、リモートコントローラ２４の制御部２６が行なう処理動作の他の例をまとめたフローチャートを示している。すなわち、操作部２７のいずれかの操作キーが操作されることにより処理が開始（ステップＳ８ａ）されると、制御部２６は、ステップＳ８ｂで、リモートコントローラ２４が電波専用モードに設定されているか否かを判別し、電波専用モードに設定されていないと判断された場合（ＮＯ）、ステップＳ８ｃで、操作されたキーに対応する操作情報を赤外線送信部２８から送信させる。
【００４６】
その後、制御部２６は、ステップＳ８ｄで、リモートコントローラ２４が赤外線専用モードに設定されているか否かを判別し、赤外線専用モードに設定されていると判断された場合（ＹＥＳ）、処理を終了（ステップＳ８ｎ）する。また、赤外線専用モードに設定されていないと判断された場合（ＮＯ）、制御部２６は、ステップＳ８ｅで、リモートコントローラ２４が一時赤外線専用モードに設定されているか否かを判別する。
【００４７】
そして、上記ステップＳ８ｅで一時赤外線専用モードに設定されていないと判断された場合（ＮＯ）、または、上記ステップＳ８ｂでリモートコントローラ２４が電波専用モードに設定されていると判断された場合（ＹＥＳ）、制御部２６は、ステップＳ８ｆで、操作されたキーに対応する操作情報を電波送信部２９から送信させる。
【００４８】
その後、制御部２６は、ステップＳ８ｇで、リモートコントローラ２４が電波専用モードに設定されているか否かを判別し、電波専用モードに設定されていると判断された場合（ＹＥＳ）、処理を終了（ステップＳ８ｎ）する。
【００４９】
また、上記ステップＳ８ｇでリモートコントローラ２４が電波専用モードに設定されていないと判断された場合（ＮＯ）、制御部２６は、ステップＳ８ｈで、リモートコントローラ２４が一時赤外線専用モードに設定されているか否かを判別し、一時赤外線専用モードに設定されていると判断された場合（ＹＥＳ）、処理を終了（ステップＳ８ｎ）する。
【００５０】
さらに、上記ステップＳ８ｈでリモートコントローラ２４が一時赤外線専用モードに設定されていないと判断された場合（ＮＯ）、または、上記ステップＳ８ｅでリモートコントローラ２４が一時赤外線専用モードに設定されていると判断された場合（ＹＥＳ）、制御部２６は、ステップＳ８ｉで、内蔵されたタイマ（図示せず）を用いて予め設定された所定時間の計測を開始する。
【００５１】
そして、制御部２６は、ステップＳ８ｊで、所定時間が経過したか否かを判別し、経過したと判断された場合（ＹＥＳ）、ステップＳ８ｋで、上記所定時間以内に、赤外線により操作情報が受信された旨を示す応答信号が電波受信部３０に受信されたか否かを判別し、受信されたと判断された場合（ＹＥＳ）、ステップＳ８ｌで、一時赤外線専用モードに設定して、処理を終了（ステップＳ８ｎ）する。
【００５２】
また、上記ステップＳ８ｋで所定時間以内に応答信号が受信されていないと判断された場合（ＮＯ）、制御部２６は、ステップＳ８ｍで、リモートコントローラ２４が一時赤外線専用モードに設定されているか否かを判別し、一時赤外線専用モードに設定されていないと判断された場合（ＮＯ）、処理を終了（ステップＳ８ｎ）する。
【００５３】
さらに、上記ステップＳ８ｍでリモートコントローラ２４が一時赤外線専用モードに設定されていると判断された場合（ＹＥＳ）、制御部２６は、ステップＳ８ｆの処理に戻り、操作されたキーに対応する操作情報を電波送信部２９から再度送信させる。
【００５４】
すなわち、リモートコントローラ２４が一時赤外線専用モードに設定されている状態において、赤外線による操作情報を送信してから予め設定された所定時間以内に、光ディスク再生装置１１からの電波による応答信号が受信されなかった場合には、一時赤外線専用モードを解除することなく、同じ内容の操作情報を電波により再度送信している。これにより、操作情報をより確実に光ディスク再生装置１１に伝達することが可能となる。
【００５５】
次に、図１０乃至図１２は、リモートコントローラ２４の制御部２６が行なう処理動作の、さらに他の例をまとめたフローチャートを示している。すなわち、操作部２７のいずれかの操作キーが操作されることにより処理が開始（ステップＳ１０ａ）されると、制御部２６は、ステップＳ１０ｂで、リモートコントローラ２４が電波専用モードに設定されているか否かを判別し、電波専用モードに設定されていないと判断された場合（ＮＯ）、ステップＳ１０ｃで、操作されたキーに対応する操作情報を赤外線送信部２８から送信させる。
【００５６】
その後、制御部２６は、ステップＳ１０ｄで、リモートコントローラ２４が赤外線専用モードに設定されているか否かを判別し、赤外線専用モードに設定されていると判断された場合（ＹＥＳ）、処理を終了（ステップＳ１０ｓ）する。また、赤外線専用モードに設定されていないと判断された場合（ＮＯ）、制御部２６は、ステップＳ１０ｅで、リモートコントローラ２４が一時赤外線専用モードに設定されているか否かを判別する。
【００５７】
そして、上記ステップＳ１０ｅで一時赤外線専用モードに設定されていないと判断された場合（ＮＯ）、または、上記ステップＳ１０ｂでリモートコントローラ２４が電波専用モードに設定されていると判断された場合（ＹＥＳ）、制御部２６は、ステップＳ１０ｆで、操作されたキーに対応する操作情報を電波送信部２９から送信させる。
【００５８】
その後、制御部２６は、ステップＳ１０ｇで、リモートコントローラ２４が電波専用モードに設定されているか否かを判別し、電波専用モードに設定されていると判断された場合（ＹＥＳ）、処理を終了（ステップＳ１０ｓ）する。
【００５９】
また、上記ステップＳ１０ｇでリモートコントローラ２４が電波専用モードに設定されていないと判断された場合（ＮＯ）、制御部２６は、ステップＳ１０ｈで、リモートコントローラ２４が一時赤外線専用モードに設定されているか否かを判別し、一時赤外線専用モードに設定されていると判断された場合（ＹＥＳ）、ステップＳ１０ｉで、応答信号が受信できないために操作情報を電波によって送信した回数ｎをカウントする。
【００６０】
そして、制御部２６は、ステップＳ１０ｊで、操作情報を電波によって送信した回数ｎが予め設定されたしきい値（例えば３回）以上になったか否かを判別し、送信回数ｎがしきい値未満であると判断された場合（ＮＯ）、処理を終了（ステップＳ１０ｓ）する。
【００６１】
また、上記ステップＳ１０ｊで送信回数ｎがしきい値以上になったと判断された場合（ＹＥＳ）、制御部２６は、ステップＳ１０ｋで、応答信号が受信できないために操作情報を電波によって送信した回数ｎのカウント値を初期化し、ステップＳ１０ｌで、一時赤外線専用モードを解除して、処理を終了（ステップＳ１０ｓ）する。
【００６２】
一方、上記ステップＳ１０ｈでリモートコントローラ２４が一時赤外線専用モードに設定されていないと判断された場合（ＮＯ）、または、上記ステップＳ１０ｅでリモートコントローラ２４が一時赤外線専用モードに設定されていると判断された場合（ＹＥＳ）、制御部２６は、ステップＳ１０ｍで、内蔵されたタイマ（図示せず）を用いて予め設定された所定時間の計測を開始する。
【００６３】
その後、制御部２６は、ステップＳ１０ｎで、所定時間が経過したか否かを判別し、経過したと判断された場合（ＹＥＳ）、ステップＳ１０ｏで、上記所定時間以内に、赤外線により操作情報が受信された旨を示す応答信号が電波受信部３０に受信されたか否かを判別する。
【００６４】
そして、応答信号が受信されたと判断された場合（ＹＥＳ）、制御部２６は、ステップＳ１０ｐで、応答信号が受信できないために操作情報を電波によって送信した回数ｎのカウント値を初期化し、ステップＳ１０ｑで、一時赤外線専用モードに設定して、処理を終了（ステップＳ１０ｓ）する。
【００６５】
また、上記ステップＳ１０ｏで所定時間以内に応答信号が受信されていないと判断された場合（ＮＯ）、制御部２６は、ステップＳ１０ｒで、リモートコントローラ２４が一時赤外線専用モードに設定されているか否かを判別し、一時赤外線専用モードに設定されていないと判断された場合（ＮＯ）、処理を終了（ステップＳ１０ｓ）する。
【００６６】
さらに、上記ステップＳ１０ｒでリモートコントローラ２４が一時赤外線専用モードに設定されていると判断された場合（ＹＥＳ）、制御部２６は、ステップＳ１０ｆの処理に戻り、操作されたキーに対応する操作情報を電波送信部２９から再度送信させる。
【００６７】
すなわち、リモートコントローラ２４が一時赤外線専用モードに設定されている状態において、赤外線による操作情報を送信してから予め設定された所定時間以内に、光ディスク再生装置１１からの電波による応答信号が受信されず、同じ内容の操作情報を電波により送信した回数ｎをカウントし、この回数ｎが予め設定されたしきい値以上になったとき、一時赤外線専用モードを自動的に解除するようにしている。
【００６８】
これにより、赤外線による操作情報が光ディスク再生装置１１に届かない位置にリモートコントローラ２４が移動されたとしても、自動的に一時赤外線専用モードが解除されるので、電波による遠隔操作に切り替えることができ、操作情報をより確実に光ディスク再生装置１１に伝達することが可能となる。なお、一時赤外線専用モードが解除されたときには、リモートコントローラ２４を兼用モードに自動設定させれば効果的である。
【００６９】
図１３は、図８及び図９に示したフローチャートと図１０乃至図１２に示したフローチャートとに基づいて、光ディスク再生装置１１とリモートコントローラ２４とが行なう動作シーケンスを示している。すなわち、ステップＳ１３ａに示すように、一時赤外線専用モードに設定されたリモートコントローラ２４から赤外線によって操作情報が送信された後、予め設定された所定時間以内に光ディスク再生装置１１から応答信号が得られない場合、ステップＳ１３ｂに示すように、同じ内容の操作情報を電波によって再送信する。
【００７０】
そして、リモートコントローラ２４は、光ディスク再生装置１１から応答信号が得られないことにより操作情報を電波によって送信した回数ｎが、予め設定されたしきい値以上になった場合、ステップＳ１３ｃに示すように、一時赤外線専用モードを自動的に解除するように制御される。
【００７１】
次に、図１４及び図１５は、リモートコントローラ２４の制御部２６が行なう処理動作の、さらに他の例をまとめたフローチャートを示している。すなわち、操作部２７のいずれかの操作キーが操作されることにより処理が開始（ステップＳ１４ａ）されると、制御部２６は、ステップＳ１４ｂで、一時赤外線専用モードに設定されてから予め設定された所定時間（例えば１分程度）が経過したか否かを判別し、経過したと判断された場合（ＹＥＳ）、ステップＳ１４ｃで、一時赤外線専用モードを自動的に解除する。
【００７２】
このステップＳ１４ｃの後、または、上記ステップＳ１４ｂで一時赤外線専用モードに設定されてから予め設定された所定時間が経過していないと判断された場合（ＮＯ）、制御部２６は、ステップＳ１４ｄで、リモートコントローラ２４が電波専用モードに設定されているか否かを判別し、電波専用モードに設定されていないと判断された場合（ＮＯ）、ステップＳ１４ｅで、操作されたキーに対応する操作情報を赤外線送信部２８から送信させる。
【００７３】
その後、制御部２６は、ステップＳ１４ｆで、リモートコントローラ２４が赤外線専用モードに設定されているか否かを判別し、赤外線専用モードに設定されていると判断された場合（ＹＥＳ）、処理を終了（ステップＳ１４ｏ）する。また、赤外線専用モードに設定されていないと判断された場合（ＮＯ）、制御部２６は、ステップＳ１４ｇで、リモートコントローラ２４が一時赤外線専用モードに設定されているか否かを判別し、一時赤外線専用モードに設定されていると判断された場合（ＹＥＳ）、処理を終了（ステップＳ１４ｏ）する。
【００７４】
一方、上記ステップＳ１４ｇで一時赤外線専用モードに設定されていないと判断された場合（ＮＯ）、または、上記ステップＳ１４ｄでリモートコントローラ２４が電波専用モードに設定されていると判断された場合（ＹＥＳ）、制御部２６は、ステップＳ１４ｈで、操作されたキーに対応する操作情報を電波送信部２９から送信させる。
【００７５】
その後、制御部２６は、ステップＳ１４ｉで、リモートコントローラ２４が電波専用モードに設定されているか否かを判別し、電波専用モードに設定されていると判断された場合（ＹＥＳ）、処理を終了（ステップＳ１４ｏ）する。また、上記ステップＳ１４ｉでリモートコントローラ２４が電波専用モードに設定されていないと判断された場合（ＮＯ）、制御部２６は、ステップＳ１４ｊで、内蔵されたタイマ（図示せず）を用いて予め設定された所定時間の計測を開始する。
【００７６】
そして、制御部２６は、ステップＳ１４ｋで、所定時間が経過したか否かを判別し、経過したと判断された場合（ＹＥＳ）、ステップＳ１４ｌで、上記所定時間以内に、赤外線により操作情報が受信された旨を示す応答信号が電波受信部３０に受信されたか否かを判別し、受信されていないと判断された場合（ＮＯ）、処理を終了（ステップＳ１４ｏ）する。
【００７７】
また、上記ステップＳ１４ｌで応答信号が受信されたと判断された場合（ＹＥＳ）、制御部２６は、ステップＳ１４ｍで、一時赤外線専用モードに設定し、ステップＳ１４ｎで、一時赤外線専用モードに設定されてからの時間計測を開始して、処理を終了（ステップＳ１４ｏ）する。
【００７８】
すなわち、リモートコントローラ２４が一時赤外線専用モードに設定された場合、その設定時点から予め設定された所定時間（例えば１分程度）以内に、操作キーが操作されて赤外線による操作情報が送信されないとき、または、赤外線による操作情報が送信されても応答信号が受信されないとき、一時赤外線専用モードを自動的に解除するようにしている。
【００７９】
これにより、赤外線による操作情報が光ディスク再生装置１１に届かない位置にリモートコントローラ２４が移動されたとしても、自動的に一時赤外線専用モードが解除されるので、電波による遠隔操作に切り替えることができ、操作情報をより確実に光ディスク再生装置１１に伝達することが可能となる。
【００８０】
図１６は、図１４及び図１５に示したフローチャートに基づいて、光ディスク再生装置１１とリモートコントローラ２４とが行なう動作シーケンスを示している。すなわち、ステップＳ１６ａに示すように、リモートコントローラ２４が一時赤外線専用モードに設定されてから、予め設定された所定時間以内にリモートコントローラ２４から赤外線による操作情報の送信が行なわれない場合、または、赤外線による操作情報の送信が行なわれても応答信号が受信されない場合、ステップＳ１６ｂに示すように、一時赤外線専用モードが解除される。
【００８１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８２】
【図１】この発明の実施の形態を示すもので、光ディスク再生装置の主要な信号処理系を説明するために示すブロック構成図。
【図２】同実施の形態における光ディスク再生装置が行なう主要な処理動作を説明するために示すフローチャート。
【図３】同実施の形態における光ディスク再生装置のリモートコントローラを説明するために示す外観図。
【図４】同実施の形態におけるリモートコントローラの主要な信号処理系を説明するために示すブロック構成図。
【図５】同実施の形態における光ディスク再生装置が行なう主要な処理動作の一部を説明するために示すフローチャート。
【図６】同実施の形態における光ディスク再生装置が行なう主要な処理動作の残部を説明するために示すフローチャート。
【図７】同実施の形態における光ディスク再生装置とリモートコンローラとの動作シーケンスの一例を説明するために示す図。
【図８】同実施の形態における光ディスク再生装置が行なう処理動作の他の例の一部を説明するために示すフローチャート。
【図９】同実施の形態における光ディスク再生装置が行なう処理動作の他の例の残部を説明するために示すフローチャート。
【図１０】同実施の形態における光ディスク再生装置が行なう処理動作のさらに他の例の一部を説明するために示すフローチャート。
【図１１】同実施の形態における光ディスク再生装置が行なう処理動作のさらに他の例の一部を説明するために示すフローチャート。
【図１２】同実施の形態における光ディスク再生装置が行なう処理動作のさらに他の例の残部を説明するために示すフローチャート。
【図１３】同実施の形態における光ディスク再生装置とリモートコンローラとの動作シーケンスの他の例を説明するために示す図。
【図１４】同実施の形態における光ディスク再生装置が行なう処理動作のさらに他の例の一部を説明するために示すフローチャート。
【図１５】同実施の形態における光ディスク再生装置が行なう処理動作のさらに他の例の残部を説明するために示すフローチャート。
【図１６】同実施の形態における光ディスク再生装置とリモートコンローラとの動作シーケンスのさらに他の例を説明するために示す図。
【符号の説明】
【００８３】
１１…光ディスク再生装置、１２…光ディスク、１３…光ディスクドライブ部、１４…データ再生処理部、１５…出力端子、１６…制御部、１６ａ…ＣＰＵ、１６ｂ…メモリ部、１６ｃ…リモートコントローラ制御部、１７…電源部、１８…副制御部、１９…通電スイッチ、２０…赤外線受信部、２１…電波受信部、２２…電波送信部、２３…本体表示部、２４…リモートコントローラ、２４ａ…液晶表示部、２４ｂ…電源キー２４ｂ、２４ｃ…赤外線専用モードキー、２４ｄ…電波専用モードキー、２４ｅ…兼用モードキー、２５…電池、２６…制御部、２６ａ…ＣＰＵ、２６ｂ…メモリ部、２７…操作部、２８…赤外線送信部、２９…電波送信部、３０…電波受信部。
【図１】
2010050781.tif 000003
【図２】
2010050781.tif 000004
【図３】
2010050781.tif 000005
【図４】
2010050781.tif 000006
【図５】
2010050781.tif 000007
【図６】
2010050781.tif 000008
【図７】
2010050781.tif 000009
【図８】
2010050781.tif 000010
【図９】
2010050781.tif 000011
【図１０】
2010050781.tif 000012
【図１１】
2010050781.tif 000013
【図１２】
2010050781.tif 000014
【図１３】
2010050781.tif 000015
【図１４】
2010050781.tif 000016
【図１５】
2010050781.tif 000017
【図１６】
2010050781.tif 000018